(57)【要約】【課題】実際の手のイメージが伝わり易いフォトプレート及びフォトプレート用ボードを提供する。【解決手段】撮像手段により手又は足を撮像した画像データを実物大の手又は足の画像データに変換し、かつ、手又は足以外の不要な画像を削除して得られた画像データに基づいて実物大の手又は足の画像を透明なプレート１Ａ又は２Ａにプリンタで印刷して構成され、前記プレート１Ａ又は２Ａは、印刷される実物大の手又は足の画像よりも少し大きな外形寸法の手又は足の形状に構成されている。【選択図】  図１
0003229953.tif 000002
【実用新案登録請求の範囲】
【請求項１】
撮像手段により手又は足を撮像した画像データを実物大の手又は足の画像データに変換し、かつ、手又は足以外の不要な画像を削除して得られた画像データに基づいて実物大の手又は足の画像を透明なプレートにプリンタで印刷して構成されたフォトプレート。
【請求項２】
前記プレートは、印刷される実物大の手又は足の画像よりも少し大きな外形寸法の手又は足の形状に構成されている請求項１に記載のフォトプレート。
【請求項３】
請求項１又は請求項２に記載のフォトプレートが取り付けられるフォトプレート用ボードであって、合成樹脂で構成され、かつ、４辺を有する板状部材から構成されており、該板状部材の１辺に沿ってバインダに綴じるための複数の孔を備えているフォトプレート用ボード。
【考案の詳細な説明】
【技術分野】
【０００１】
本考案は、フォトプレート及びフォトプレート用ボードに関する。
【背景技術】
【０００２】
従来から、赤ちゃんの誕生記念に、その赤ちゃんの手型や足型を採って残すための記念帳が提案されている。この記念帳は、同一寸法の表表紙と裏表紙とからなるアルバムに構成され、裏表紙の内面側に、赤ちゃんの手型が凹設された型取材及び赤ちゃんの名前、生年月日、伸長、体重等のプロフィールが記載された記録プレートを備え、表表紙の内面側に、赤ちゃんの両親の写真等を備えて構成されている（例えば、特許文献１参照）。
【０００３】
上記特許文献１では、赤ちゃんの手型が凹設されている型取材では、赤ちゃんの実際の手のイメージが伝わらないという不都合があり、改善の余地があった。
【先行技術文献】
【特許文献】
【０００４】
【特許文献１】実開平２−４４０７２号公報
【考案の概要】
【考案が解決しようとする課題】
【０００５】
そこで、本考案は、かかる事情に鑑みてなされたもので、実際の手のイメージが伝わり易いフォトプレート及びフォトプレート用ボードを提供することを課題とする。
【課題を解決するための手段】
【０００６】
本考案に係るフォトプレートは、撮像手段により手又は足を撮像した画像データを実物大の手又は足の画像データに変換し、かつ、手又は足以外の不要な画像を削除して得られた画像データに基づいて実物大の手又は足の画像を透明なプレートにプリンタで印刷して構成されている。
【０００７】
本考案によれば、手又は足の実物大の画像データに変換し、かつ、手又は足以外の不要な画像を削除して得られた画像データに基づいて、実物大の手又は足の画像を透明なプレートにプリンタで印刷することによって、透明なプレートから実物大の手又は足のリアルな画像を見ることができる。よって、赤ちゃんの実際の実物大の手又は足のイメージが伝わり易い。また、手又は足が印刷された透明なプレートは、どこにでも容易に移動することができ、取り扱い易い。
【０００８】
また、本考案に係るフォトプレートは、前記プレートが、印刷される実物大の手又は足の画像よりも少し大きな外形寸法の手又は足の形状に構成されていてもよい。
【０００９】
上記構成によれば、プレートが、印刷される実物大の手又は足よりも少し大きな外形寸法の手又は足の形状に構成されていれば、手又は足のイメージが伝わり易くなるとともに、取り扱いも良好になる。
【００１０】
また、本考案に係るフォトプレート用ボードは、上記フォトプレートが取り付けられるフォトプレート用ボードであって、合成樹脂で構成され、かつ、４辺を有する板状部材から構成されており、該板状部材の１辺に沿ってバインダに綴じるための複数の孔を備えている。
【００１１】
上記構成によれば、赤ちゃんが成長する度に、手又は足が印刷されたフォトプレートをフォトプレート用ボードに取り付け、そのフォトプレート用ボードを複数の孔を介してバインダに綴じておけば、赤ちゃんの成長を確認することができる。
【考案の効果】
【００１２】
以上の如く、手又は足の実物大の画像データに基づいて透明なプレートに実物大の手又は足の画像を印刷したフォトプレートを備えることによって、実際の手のイメージが伝わり易いフォトプレート及びフォトプレート用ボードを提供することができる。
【図面の簡単な説明】
【００１３】
【図１】本考案の片手及び片足のフォトプレートの正面図である。
【図２】同片手及び同片足のフォトプレートの背面図である。
【図３】同片手及び同片足並びに顔のフォトプレートを取り付けたフォトプレート用ボードをスタンドに立て掛けた状態を示す斜視図である。
【図４】複数枚のフォトプレート用ボードがバインダに綴じられる直前の状態を示す斜視図である。
【考案を実施するための形態】
【００１４】
以下、本考案に係るフォトプレートについて、図面に基づいて説明する。このフォトプレートは、図１に示すように、透明な第１プレート１Ａの両面のうちの一方の面（例えば裏面）に赤ちゃんの片手（右手、以下において単に手という）１Ｂがプリンタにより印刷された第１フォトプレート１と、透明な第２プレート２Ａの両面のうちの一方の面（例えば裏面）に同赤ちゃんの片足（右足、以下において単に足という）２Ｂがプリンタにより印刷された第２フォトプレート２と、を備えている。
【００１５】
前記第１フォトプレート１に印刷する画像データは、撮像手段により赤ちゃんの手を撮像した画像データを入手する。入手した画像データは、手の画像だけでなく、手に繋がる腕の画像や背景画像などの手以外の不要な画像データ等が存在する。また、撮像手段で撮像したときの撮像手段のレンズから撮像対象物である手までの距離によって画像データをそのまま印刷すると、実物大の手の画像ではない場合が多いため、次のような画像処理を行うことになる。つまり、入手した画像データは、各種の汎用のソフトウェアを用いて、実測した赤ちゃんの手の実測データ（実測値）を入力することにより実物大の大きさに自動的に変換され、かつ、手以外の不要な画像を削除することによって手のみの画像データに作成される。
【００１６】
また、第２フォトプレート２に印刷する画像データも、第１フォトプレート１に印刷する画像データと同様に入手し、前述した画像処理を行うことになる。つまり、入手した画像データは、前記同様に、各種の汎用のソフトウェアを用いて、実測した赤ちゃんの足の実測データ（実測値）を入力することにより実物大の大きさに変換され、かつ足以外の不要な画像を削除することによって足のみの画像データに作成される。
【００１７】
第１プレート１は、透明な合成樹脂（透明なガラス材料でもよい）で成形され、実物大の手よりも少し大きな外形寸法の手の形状に構成されている。つまり、５本の指部と掌部を備えた手の形状に構成されている。この第１プレート１の手１Ｂが印刷されていない外周縁の余白部分１Ｃに、赤ちゃんの生年月日、撮影した年、赤ちゃんの名前と年齢等を手の印刷時に一緒に印刷してもよい。
【００１８】
また、第２プレート２は、透明な合成樹脂（透明なガラス材料でもよい）で成形され、実物大の足よりも少し大きな外形寸法の足の形状に構成されている。つまり、５本の指部と足の裏部を備えた足の形状に構成されている。この第２プレート２の足２Ｂが印刷されていない外周縁の余白部分２Ｃに、赤ちゃんの生年月日、撮影した年、赤ちゃんの名前と年齢等を足の印刷時に一緒に印刷してもよい。
【００１９】
プリンタとしては、ＵＶ（紫外線硬化型）インクを用いるＵＶプリンタを用いてもよいし、レーザープリンタやインクジェットプリンタ等を用いてもよい。また、撮像手段としては、デジタルカメラ、カメラを搭載した携帯端末（例えばスマートフォン）等が挙げられる。
【００２０】
前述したように、手又は足の実物大の画像データを透明な第１プレート１Ａ又は第２プレート２Ａの一方の面に印刷することによって、透明な第１プレート１Ａ又は第２プレート２Ａの他方の面から実物大の手又は足を透視することができる。よって、赤ちゃんの実際の実物大の手又は足のイメージが伝わり易い。また、手又は足が印刷された透明な第１プレート１Ａ又は第２プレート２Ａは、どこにでも容易に移動することができる。
【００２１】
また、第１プレート１Ａ又は第２プレート２Ａが、前記プリンタにより印刷される実物大の手又は足よりも少し大きな外形寸法の手又は足の形状に構成されていれば、手又は足のイメージが伝わり易くなるとともに、取り扱いも良好になる。
【００２２】
上記のように構成された第１プレート１Ａ又は第２プレート２Ａの手の画像又は足の画像の裏面には、図２に示すように、剥離可能で再接着可能な粘着剤３が塗布されている。粘着剤としては、例えばジェルテープ（登録商標）が使用できるが、両面テープ等であってもよい。この両面テープを用いる場合には、第１プレート１Ａ又は第２プレート２Ａを、後述する顔フォトプレート７と同様に、透明な合成樹脂でなり、裏面に手又は足が印刷された第１板部と、この第１板部の裏面に接着又は溶着される合成樹脂製の第２板部と、から構成しておけば、印刷された手の画像又は足の画像が剥離されることがない。尚、前記第２板部に、後述する永久磁石を備えておくこともできる。
【００２３】
前記粘着剤３を備えた第１フォトプレート１及び第２フォトプレート２を、図３に示すように、フォトプレート用ボード４に貼り付けて使用することができる。そして、フォトプレート用ボード４に貼り付けた第１フォトプレート１及び第２フォトプレート２を剥して他のボードに貼り付けることもできる。
【００２４】
フォトプレート用ボード４は、合成樹脂で構成され、かつ、４辺４Ａ，４Ｂ，４Ｃ，４Ｄを有する板状部材から構成されており、該板状部材の１辺４Ｄに沿ってバインダ５に備える開閉可能な４対の半円リング６Ｂ，６Ｂ（図４参照）に差し込んで綴じるための複数（この実施形態では４個）の孔４Ｋを備えている。バインダ５は、図４に示すように、表表紙部５Ａと、裏表紙部５Ｂと、表表紙部５Ａと裏表紙部５Ｂとを繋ぐ背表紙部５Ｃと、背表紙部５Ｃに固定された縦長状の板部６Ａと、板部６Ａに備える４対の半円リング６Ｂ，６Ｂと、を備えている。フォトプレート用ボード４の４辺４Ａ，４Ｂ，４Ｃ，４Ｄは、波形状に構成されているが、一直線であってもよいし、弧状であってもよい。フォトプレート用ボード４に、赤ちゃんの名前、生年月日、伸長及び体重等を印刷してもよい。
【００２５】
また、第１フォトプレート１及び第２フォトプレート２の他に、顔が一方の面（例えば裏面）に印刷された顔フォトプレート７（図４参照）も前記フォトプレート用ボード４に貼り付けて使用することによって、より素敵なフォトプレート用ボード４にすることができる。図３では、第１フォトプレート１及び第２フォトプレート２並びに顔フォトプレート７が貼り付けられたフォトプレート用ボード４をスタンド８に立て掛けた状態を示している。スタンド８は、フォトプレート用ボード４の下縁を受け止める受け部８Ａと、受け部８Ａの下端から下方に延びる複数の脚部８Ｂと、フォトプレート用ボード４の背面を受け止めて倒れを防止する倒れ防止部８Ｃと、を備えている。また、顔フォトプレート７は、透明な合成樹脂でなり、裏面に顔が印刷された第１板部７Ａと、この第１板部７Ａの裏面に接着又は溶着される合成樹脂製の第２板部７Ｂと、を備えている。
【００２６】
図４に、１枚のフォトプレート用ボード４をバインダ５の４対の半円リング６，６に差し込んで綴じている状態を示している。赤ちゃんが成長する度に、手又は足が印刷された第１フォトプレート１及び第２フォトプレート２並びに顔フォトプレート７を作製し、フォトプレート用ボード４に貼り付け、そのフォトプレート用ボード４を複数の孔４Ｋを介してバインダ５に綴じておけば、赤ちゃんの成長を確認することができる。
【００２７】
尚、本考案は、上記実施形態に限定されるものではなく、本考案の要旨を逸脱しない範囲で種々の変更が可能である。
【００２８】
例えば、透明な袋にフォトプレート１又は２をそれぞれ収容し、フォトプレート１又は２がそれぞれ個包装された２枚の袋をフォトプレート用ボード４に接着テープを用いて固定してもよい。
【００２９】
前記実施形態では、フォトプレート用ボード４にフォトプレート１，２及び顔フォトプレート７を貼り付けたが、フォトプレート用ボード４の表面に金属板を備える、又はフォトプレート用ボード４自体を金属板から構成するとともに、フォトプレート１，２を前述した２枚の板部から構成し、フォトプレート１，２それぞれの第２板部及び顔フォトプレート７の第２板部７Ｂに永久磁石を備えさせて、永久磁石の磁力によりフォトプレート１，２及び顔フォトプレート７をフォトプレート用ボード４に吸着させて固定することもできる。また、フォトプレート用ボード４にフックを取り付け、そのフックに係止及び係止解除できる孔をフォトプレート１，２及び顔フォトプレート７に形成してもよい。
【００３０】
また、前記実施形態では、一方の手と一方の足の２つのフォトプレート１，２を示したが、一方の手と両足の３つのフォトプレートにしてもよいし、両手と一方の足の３つのフォトプレートにしてもよいし、両手と両足の４つのフォトプレートにしてもよい。また、一方の手だけの１つのフォトプレートにしてもよいし、一方の足だけの１つのフォトプレートにしてもよい。
【符号の説明】
【００３１】
１…第１フォトプレート、１Ａ…第１プレート、１Ｂ…片手（右手）、１Ｃ…余白部分、２…第２フォトプレート、２Ａ…第２プレート、２Ｂ…片足（右足）、２Ｃ…余白部分、３…粘着剤、４…フォトプレート用ボード、４Ａ，４Ｂ，４Ｃ，４Ｄ…４辺、４Ｋ…孔、５…バインダ、５Ａ…表表紙部、５Ｂ…裏表紙部、５Ｃ…背表紙部、５Ｄ…板部、６Ａ…板部、６Ｂ…半円リング、７…顔フォトプレート、７Ａ…第１板部、７Ｂ…第２板部、８…スタンド、８Ａ…受け部、８Ｂ…脚部、８Ｃ…倒れ防止部
【図１】
0003229953.tif 000003
【図２】
0003229953.tif 000004
【図３】
0003229953.tif 000005
【図４】
0003229953.tif 000006